(57)【特許請求の範囲】
【請求項１】
囲い壁に形成した開口部に縁取るように設けた笠木ユニットの枠組み構造であって、
前記開口部の鉛直壁面に沿わせて設けた縦笠木と水平壁面に沿わせて設けた下笠木とを、当該縦笠木の小口端を当該下笠木の外端部に突き当てて枠組みすると共に、
前記下笠木の小口端と前記鉛直壁面との間には、シール材が介設され、
前記縦笠木の袖部と前記下笠木の袖部とが交会する両コーナー部側面には、前記各縦笠木の袖部を延長するように前記各コーナー部側面を覆うと共に前記各縦笠木の袖部に装着した一対のコーナーカバーが設けられていることを特徴とする笠木ユニットの枠組み構造。
【請求項２】
前記下笠木の小口端と前記鉛直壁面とは間隙を存して対峙しており、
前記シール材は、前記間隙に充填したコーキング材と、前記コーキング材を受けるバックアップ材とから成ることを特徴とする請求項１に記載の笠木ユニットの枠組み構造。
【発明の詳細な説明】
【０００１】
【発明の属する技術分野】
本発明は、バルコニーや外廊下などの囲い壁に装飾、採光、通風用に設けられる開口部において、この開口部を縁取るように設けられる笠木ユニットの枠組み構造に関するものである。
【０００２】
【従来の技術】
従来、この種の笠木ユニットの枠組み構造として、例えば、バルコニーの掘込みタイプの開口部に適用した実用新案登録第２５４８５１１号公報に記載のものが知られている。この笠木ユニットは、開口部の鉛直壁面に沿わせて設けた左右一対の縦笠木と、水平壁面に沿わせて設けた下笠木とから成り、縦笠木と下笠木とは、下笠木通しで接合されている。より具体的には、下笠木の外端部に上側から縦笠木の小口端を間隙を存して対峙させ、この間隙にコーキング材を充填して、縦笠木と下笠木とが水密に接合されている。これにより、縦笠木の下端を下笠木の上面の形状に合わせて加工する手間を省き、且つ縦笠木と下笠木との接合部分から水平壁面側への雨水の侵入を防止している。
【０００３】
【発明が解決しようとする課題】
このような従来の笠木ユニットの枠組み構造では、下笠木に加わる荷重により下笠木が変形すると、コーキング材が剥がれシール性が損なわれ易くなる問題があった。また、コーキング材が表側に目地状に露出するため、紫外線などにより劣化し易く、且つ笠木ユニットの意匠上も好ましくない。
【０００４】
本発明は、単純な構造で、水密性および意匠性を向上させることができる笠木ユニットの枠組み構造を提供することをその目的としている。
【０００５】
【課題を解決するための手段】
上記目的を達成すべく本発明の笠木ユニットの枠組み構造は、囲い壁に形成した開口部に縁取るように設けた笠木ユニットの枠組み構造であって、開口部の鉛直壁面に沿わせて設けた縦笠木と水平壁面に沿わせて設けた下笠木とを、縦笠木の小口端を下笠木の外端部に突き当てて枠組みすると共に、下笠木の小口端と鉛直壁面との間には、シール材が介設され、縦笠木の袖部と下笠木の袖部とが交会する両コーナー部側面には、各縦笠木の袖部を延長するように各コーナー部側面を覆うと共に各縦笠木の袖部に装着した一対のコーナーカバーが設けられていることを特徴とする。
【０００６】
この構成によれば、下笠木の小口端と鉛直壁面との間にシール材を介設しているため、外力により変形を受け難い下笠木の小口端と、開口部の鉛直壁面との間でシールが為されることになり、シール材に外力が及び難い構造にすることができる。また、シール材を縦笠木の端部で覆うことができる。
また、コーナーカバーにより、コーキング材や下笠木の端部などを完全に覆うことができ、意匠性を向上させることができる。
【０００７】
この場合、下笠木の小口端と鉛直壁面とは間隙を存して対峙しており、シール材は、間隙に充填したコーキング材と、コーキング材を受けるバックアップ材とから成ることが、好ましい。
【０００８】
この構成によれば、コーキング材の充填作業が容易になると共に、コーキング材を適切に施工することができる。また、左右の鉛直壁間の寸法と下笠木の長さとを精度良く合致させる必要が無く、施工性を向上させることができる。
【００１１】
【発明の実施の形態】
以下、添付の図面を参照して、本発明の一実施形態に係る笠木ユニットの枠組み構造を、バルコニーの開口部に設置した笠木ユニットに適用した場合について説明する。図１は、掘込みタイプの開口部を形成したバルコニーの正面図である。同図に示すように、このバルコニー１は、囲い壁である前壁２および両側壁３，３が、心材４と表裏の仕上げ材５，５とから成る大壁構造を有しており（図２参照）、前壁２の中央に形成した開口部６には、笠木ユニット７および装飾ユニット８が装着されている。開口部６は、左右の鉛直壁面６ａ，６ａと下端の水平壁面６ｂとを有して、正面視「Ｕ」字状に掘り込まれている。そして、前壁２および両側壁３，３の上端には、開口部６の部分を除いて上笠木１０が取り付けられ、上笠木１０の上側には、複数本の支持棒１１を介して手摺１２が連続して取り付けられている。
【００１２】
笠木ユニット７は、開口部６の鉛直壁面６ａに沿わせて設けた左右一対の縦笠木１３，１３と、水平壁面６ｂに沿わせて設けた下笠木１４とで構成されている。各縦笠木１３の上端部は上記の上笠木１０の端部に連結され、下端部は下笠木１４の外端部に、いわゆる下笠木１４通しで連結されている。したがって、開口部６は、左右の縦笠木１３，１３と下笠木１４とにより「Ｕ」字状の形態となっている。
【００１３】
装飾ユニット８は、開口部６の左右中間位置において上記の手摺１２と下笠木１４との間に上下に渡した縦桟１５と、下笠木１４の上側において縦桟１５と各縦笠木１３との間に左右に渡した左右一対の横桟１６，１６と、手摺１２と横桟１６との間に装着した一対の装飾パネル１７，１７とで構成されている。この場合、装飾パネル１７は目隠し部材として機能し、装飾パネル１７と縦桟１５や縦笠木１３との間隙は通風のための空間として機能する。
【００１４】
ここで、縦笠木１３および下笠木１４について説明すると共に、縦笠木１３と下笠木１４との枠組み構造（接合構造）について詳細に説明する。図２および図３に示すように、縦笠木１３は、主体を為す平坦な縦笠木本体２１と、縦笠木本体２１の幅方向の両側に連なる一対の縦笠木袖部２２，２２とから成り、アルミニウムの形材などで断面略「コ」字状に一体に形成されている。縦笠木本体２１の表面側（外側）は、凹凸が無く平坦に形成されているが、裏面側（内側）には、ビスホールを有する「Ｌ」字状の一対の取付け片２３，２３が一体に形成されている。縦笠木１３は、この取付け片２３に固定した連結プレート２４を介して、上下の２箇所で開口部６の鉛直壁面６ａに固定されている。
【００１５】
各縦笠木袖部２２は、縦笠木本体２１から直角に延びており、表面側は平坦に形成されているが、裏面側には、ビスホールを有する一文字状の当て板片２５およびビード取付け片２６が、一体に形成されている。当て板片２５は、縦笠木本体２１と平行に延在しており、縦笠木１３を鉛直壁面６ａに添設した状態では鉛直壁面６ａに当接して、縦笠木１３を鉛直壁面６ａから幾分離すように位置決めする。図示では省略しているが、ビード取付け片２６には、先端部が前壁２の開口部縁部に密接する鰭片状のビードが装着されており、このビードをバックアップ材としてこの部分にコーキング材が充填されている。そして、このコーキング材により、鉛直壁面６ａ側への雨水の浸入が阻止される。
【００１６】
下笠木１４は、主体を為す平坦な下笠木本体３１と、下笠木本体３１の幅方向の両側に連なる一対の下笠木袖部３２，３２とから成り、アルミニウムの形材などで断面略「コ」字状に一体に形成されている。下笠木１４は、縦笠木１３と同幅に形成され、下笠木１４の外端部上面に縦笠木１３の小口端が当接するようになっている（詳細は後述する）。下笠木本体３１および両下笠木袖部３２，３２にはビスホールなどの凹凸が無く、その表裏両面はそれぞれ平坦に形成されている。ただし、下笠木本体３１は、その幅方向においてバルコニー１の内側に向かって下り傾斜の排水勾配を有している。
【００１７】
このように構成された下笠木１４は、上記の縦桟１５の取付け部分（左右中間部分）に設けた枕木的なホルダー３３により、開口部６の水平壁面６ｂに縦桟１５と共に固定されている。また、下笠木１４の両外端部には、鉛直壁面６ａとの間に後述するコーキング材３６を受けるバックアップ材３５が介設され、下笠木１４の両外端部はバックアップ材３５に支持されている。
【００１８】
次に、図２、図３および図４を参照して、縦笠木１３と下笠木１４との接合部分の構造について説明する。上述したように下笠木１４の各外端部には、バックアップ材３５が装着されており、バックアップ材３５は、一方の半部に構成した装着部３５ａと、他方の半部に構成したコーキング受け部３５ｂとで、一体に形成されている。装着部３５ａは、下笠木１４の内面に装着される部位であり、その外周面は下笠木１４の外端部の内周面と相補的形状に形成されている。また、コーキング受け部３５ｂは、コーキング材３６を受ける部位であり、装着部３５ａより一回り小さな断面形状に形成されている。
【００１９】
下笠木１４は、小口端にバックアップ材３５を装着し、バックアップ材３５を鉛直壁面６ａに突き当てるようにして、水平壁面６ｂに固定される。この状態では、下笠木１４の小口端と鉛直壁面６ａとの間において、コーキング受け部３５ｂによりコーキング材３６を充填するための溝部が構成され、この溝部にコーキング材３６を盛るようにして充填する。これにより、下笠木１４の両外端部と左右の鉛直壁面６ａ，６ａとの間が水密にシールされ、水平壁面６ｂへの雨水の浸入が阻止される。なお、鉛直壁面６ａおよび水平壁面６ｂは、防水シート等により簡易にシールされているが、コーナー部分やシートの重なり部分ではシールが十分ではなく、特に雨水が溜まり易い水平壁面６ｂへの雨水の浸入を防止することが必要である。
【００２０】
一方、縦笠木１３は、単純に上側から下笠木１４に突き当てられている。すなわち、下笠木１４の外端部には連結部材等を用いることなく、縦笠木１３の小口端が突き当てられており、この状態で縦笠木１３は鉛直壁面６ａに固定されている。これにより、縦笠木１３と下笠木１４のコーナー部分では、上記のコーキング材３６が縦笠木１３の内側に隠蔽される。しかし、縦笠木１３の小口端の下方に位置するコーキング材３６の側部は、外部に露出することになる。そこで、コーナー部分の両側面には、コーキング材３６を覆うと共に、コーナー部分を直角に見せるコーナーカバー４０，４０がそれぞれ設けられている。
【００２１】
各コーナーカバー４０は、方形且つ平坦な外面を有する板状のカバー本体４１と、カバー本体４１の内面上部に突出形成した装着係合部４２と、カバー本体４１の側端に突出形成した縦鰭部４３とで、一体に形成されている。装着係合部４２は、縦笠木袖部２２の小口端に対し下側から着脱可能となっており、両コーナーカバー４０，４０を装着した状態で縦笠木１３を下笠木１４に突き当てると、縦笠木１３と下笠木１４のコーナー部分の各側面がコーナーカバー４０で覆われる。すなわち、この状態では、縦鰭部４３が前壁２の開口部縁部に当接し、縦鰭部４３と逆側のカバー本体４１の端部内面が下笠木袖部３２の外端部に当接し、さらにカバー本体４１の上部内面が縦笠木１３の下端部に当接して、コーナーカバー４０はがたつくこと無く、上記のコーナー部分を覆う。
【００２２】
ここで、図５を参照して、笠木ユニット７の開口部６への組付け手順について簡単に説明する。先ず、水平壁面６ｂにホルダー３３を設置し、ホルダー３３を介して、両外端部にバックアップ材３５を装着した下笠木１４を、水平壁面６ｂに固定する（同図（ａ））。このとき、バックアップ材３５の端を水平壁面６ｂに突き当てるようにし、続いてバックアップ材３５を受けとして下笠木１４と水平壁面６ｂとの間にコーキング材３６を充填する（同図（ｂ））。次に、両コーナーカバー４０，４０を装着した縦笠木１３を、上側から下笠木１４に当接すると共に鉛直壁面６ａに位置決めし、連結プレート２４を介して縦笠木１３を鉛直壁面６ａに固定する（同図（ｃ））。このようにして笠木ユニット７を組み付けるが、以降、上記の上笠木１０および手摺１２を組み付けると共に、縦桟１５、横桟１６および装飾パネル１７を組み付けて、全体の組み付けを完了する。
【００２３】
次に、図６および図７を参照して、第２実施形態について説明する。第２実施形態では、開口部６の上部において上笠木１０が連続しており、開口部６は、この上笠木１０、下笠木１４および両縦笠木１３，１３により、方形に縁取られた形態となっている。この場合には、縦桟１５は上笠木１０と下笠木１４との間に上下に渡され、各装飾パネル１７は横桟１６と上笠木１０との間に装着されている。そして、笠木ユニット７を構成する縦笠木１３は、第１実施形態と同様の形態を有しているが、下笠木１４は、その下笠木本体３１が、幅方向の中間部に位置する水平面部３１ａと、幅方向の両端部に位置する傾斜面部３１ｂ，３１ｂとで構成されている。すなわち、下笠木１４は略ドーム状の断面形状を有している。
【００２４】
この場合も、下笠木１４の各外端部に、装着部３５ａとコーキング受け部３５ｂとから成るバックアップ材３５が装着されている。また、バックアップ材３５の装着部３５ａはその外周面が下笠木１４の外端部の内周面と相補的形状に形成され、さらにコーキング受け部３５ｂは装着部３５ａより一回り小さく形成されている。そして、第１実施形態と同様に、下笠木１４の小口端にはバックアップ材３５を装着され、且つバックアップ材３５を受けとして、下笠木１４の小口端と鉛直壁面６ａとの間にコーキング材３６が充填され、下笠木１４と鉛直壁面６ａとの間がシールされている。また、下笠木１４の上面に縦笠木１３が突き当てられている。
【００２５】
上述したように、下笠木１４は略ドーム状の断面形状を有している。このため、下笠木１４の外端部に縦笠木１３の小口端を突き当てた状態では、縦笠木１３と下笠木本体３１の水平面部３１ａとの間には隙間が生じないが、両傾斜面部３１ｂ，３１ｂとの間にはそれぞれ三角形の隙間が生ずる。そこで、第２実施形態の各コーナーカバー４０には、カバー本体４０、装着係合部４１および縦鰭部４２に加え、装着係合部４１に沿ってこの三角形の隙間を閉塞する三角片部４４が、一体に形成されている。そして、この場合も、予めコーナーカバー４０を、縦笠木袖部２２の小口端に装着してから縦笠木１３を組み付ける。
【００２６】
以上のように、これらの実施形態によれば、下笠木１４と各縦笠木１３との接合部分において、バックアップ材３５を介して下笠木１４を鉛直壁面６ａに突き当て、且つコーキング材３６で下笠木１４と鉛直壁面６ａとの間を水密にシールしているため、下笠木１４と縦笠木１３との間をシールするよりも、シール構造を単純化にすることができる。また、外力などに対しシール性を安定したものとすることができる。さらに、コーキング材３６を、縦笠木１３およびコーナーカバー４０で完全に覆うことができるため、コーキング材３６の劣化などを抑制することができると共に、笠木ユニット７の意匠性を向上させることができる。
【００２７】
なお、実施形態では、下笠木と鉛直壁面との間のシールをコーキング材で行うようにしているが、これを例えばゴム製のシール部材などのいわゆる乾式シール材で行うようにしてよい。また、本発明の枠組み構造は、中抜きタイプの開口部にも適用できることは、いうまでもない。
【００２８】
【発明の効果】
以上のように本発明の笠木ユニットの枠組み構造によれば、シール材を介して、下笠木の小口端を鉛直壁面に水密に接合しているため、シール材の耐久性を向上させることができると共に、下笠木の小口端と鉛直壁面とを水密に接合することができ、特に水平壁面への雨水の浸入を確実に防止することができる。また、シール材は、縦笠木で覆われるため、この接合部分をすっきりしたデザインに仕上げることができる。
【図面の簡単な説明】
【図１】本発明の一実施形態に係る笠木ユニットを組み込んだバルコニーの正面図である。
【図２】実施形態に係る笠木ユニット廻りの拡大縦断面図である。
【図３】実施形態に係る笠木ユニット廻りの拡大横断面図である。
【図４】笠木ユニットを構成する下笠木と縦笠木の接合部分の分解斜視図である。
【図５】笠木ユニットの組立手順を示す説明図である。
【図６】第２実施形態に係る笠木ユニット廻りの拡大縦断面図である。
【図７】第２実施形態に係る下笠木と縦笠木の接合部分の分解斜視図である。
【符号の説明】
１  バルコニー、２  前壁、６  開口部、６ａ  鉛直壁面、６ｂ  水平壁面、７  笠木ユニット、１３  縦笠木、１４  下笠木、２１  縦笠木本体、２２  縦笠木袖部、３１  下笠木本体、３２  下笠木袖部、３５  バックアップ材、３６６  コーキング材、４０  コーナーカバー
【図１】
0003782913.tif 000002
【図２】
0003782913.tif 000003
【図３】
0003782913.tif 000004
【図４】
0003782913.tif 000005
【図５】
0003782913.tif 000006
【図６】
0003782913.tif 000007
【図７】
0003782913.tif 000008